(57)【要約】【課題】捕集された異物の除去を容易に行うことができる、清掃性に優れたヘアキャッチャーを提供する。【解決手段】ヘアキャッチャー６は、通水用の孔部６１Ａが複数形成された底壁部６１と、底壁部６１の外縁部分に立設された外壁部６２とを備える。底壁部６１は、ヘアキャッチャー６の外縁に位置する掃き出し口６３を有するとともに、当該掃き出し口６３に向けて外壁部６２よりも緩やかな上方への遷移態様で、外壁部６２のうち掃き出し口６３と隣接する部位とほぼ同じ高さまで徐々に上がる形状をなし、かつ、掃き出し口６３においてヘアキャッチャー６の外へと通じるように構成された掃き出し坂部６５を具備する。底壁部６１に捕集された異物を、掃き出し坂部６５に沿って掃き出し口６３側へと移動させることで、掃き出し口６３から異物を掃き出し、異物を除去することができる。【選択図】      図３
2018168650.tif 000002
【特許請求の範囲】
【請求項１】
槽体から流れる排水の流路に配置され、排水に含まれる異物を捕集するためのヘアキャッチャーであって、
通水用の孔部が複数貫通形成された底壁部と、
前記底壁部の外縁部分に立設された外壁部とを備え、
前記底壁部は、前記ヘアキャッチャーの外縁に位置する所定の掃き出し口を有するとともに、当該掃き出し口に向けて前記外壁部よりも緩やかな上方への遷移態様で、前記外壁部のうち前記掃き出し口と隣接する部位とほぼ同じ高さまで徐々に上がる形状をなし、かつ、前記掃き出し口において前記ヘアキャッチャーの外へと通じるように構成された掃き出し坂部を具備することを特徴とするヘアキャッチャー。
【請求項２】
前記底壁部は、前記掃き出し坂部における前記掃き出し口とは反対側の端縁に連続するとともに、ほぼ水平方向に広がり、前記ヘアキャッチャーの最底部を構成する水平底部を備えることを特徴とする請求項１に記載のヘアキャッチャー。
【請求項３】
前記掃き出し口の幅が、前記底壁部における最も幅の広い部位の幅の１／３以上とされていることを特徴とする請求項１又は２に記載のヘアキャッチャー。
【請求項４】
前記底壁部は、前記掃き出し坂部の傾斜方向に沿って連続して延びるとともに、上方に向けて突出した形状をなす連続突部を有することを特徴とする請求項１乃至３のいずれか１項に記載のヘアキャッチャー。
【請求項５】
前記底壁部における前記孔部を形成する部位のうち、平面視したときに前記掃き出し坂部の傾斜方向と交差する方向に延びる部位の少なくとも一部には、前記掃き出し口側に向けて徐々に上がり、前記底壁部の上面に連続する傾斜面状又は湾曲面状の抵抗軽減部が設けられていることを特徴とする請求項１乃至４のいずれか１項に記載のヘアキャッチャー。
【請求項６】
前記掃き出し口とは反対側に位置する外縁部分に、つまみ持つための持ち手部を備えることを特徴とする請求項１乃至５のいずれか１項に記載のヘアキャッチャー。
【請求項７】
所定の栓蓋を支持するための上下動可能な支持軸が挿通される被挿通部を有し、
前記被挿通部は、平面視したときに前記ヘアキャッチャーの中心から外れた前記掃き出し口側に設けられるとともに、前記掃き出し口側に位置する前記ヘアキャッチャーの外縁に開口する形状をなすことを特徴とする請求項１乃至６のいずれか１項に記載のヘアキャッチャー。
【発明の詳細な説明】
【技術分野】
【０００１】
本発明は、洗面ボールや浴槽等の排水流路に設けられ、毛髪やごみ等を捕集するためのヘアキャッチャーに関する。
【背景技術】
【０００２】
従来、槽体（例えば、洗面ボールや浴槽、流し台等）から流れる排水の流路にヘアキャッチャーを設け、排水に含まれるごみや毛髪等の異物を捕集する手法が知られている。ヘアキャッチャーとしては、例えば、栓蓋を上下動させるための支持軸（軸部）が挿通される筒状部（軸筒部）と、当該筒状部から外側に広がり、異物を捕集するための目皿状の捕集部（ネット部）とを備えたものが提案されている（例えば、特許文献１等参照）。
【０００３】
また、一般に捕集部は、通水用の孔部が複数貫通形成された底壁部と、当該底壁部の外縁部分に立設された環状（筒状）の外壁部とを備えている。外壁部は、ヘアキャッチャーによって捕集された異物が排水などによって容易に流れ出てしまうことを防止するために設けられている。
【先行技術文献】
【特許文献】
【０００４】
【特許文献１】特開２０１０−３７９２３号公報
【発明の概要】
【発明が解決しようとする課題】
【０００５】
ところで、上記ヘアキャッチャーでは、捕集された異物を取り除いてヘアキャッチャーを清掃する際に、通常、外壁部よりも内側の空間へと指や清掃用の用具を入れた上で、この指や用具によって、外壁部の上部を越えるようにして底壁部や外壁部に付着した異物をヘアキャッチャーの外へとかき出すといったことが行われる。そのため、外壁部を越えるようにして異物を持ち上げる必要があり、異物の除去が難しく、ヘアキャッチャーの清掃をやや行いにくいといった事態を招いてしまうおそれがある。
【０００６】
本発明は、上記事情に鑑みてなされたものであり、その目的は、捕集された異物の除去を容易に行うことができる、清掃性に優れたヘアキャッチャーを提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体から流れる排水の流路に配置され、排水に含まれる異物を捕集するためのヘアキャッチャーであって、
通水用の孔部が複数貫通形成された底壁部と、
前記底壁部の外縁部分に立設された外壁部とを備え、
前記底壁部は、前記ヘアキャッチャーの外縁に位置する所定の掃き出し口を有するとともに、当該掃き出し口に向けて前記外壁部よりも緩やかな上方への遷移態様で、前記外壁部のうち前記掃き出し口と隣接する部位とほぼ同じ高さまで徐々に上がる形状をなし、かつ、前記掃き出し口において前記ヘアキャッチャーの外へと通じるように構成された掃き出し坂部を具備することを特徴とするヘアキャッチャー。
【０００９】
上記手段１によれば、ヘアキャッチャーの外縁には掃き出し口が設けられており、底壁部は、掃き出し口に向けて外壁部よりも緩やかな上方への遷移態様で、外壁部とほぼ同じ高さまで徐々に上がる形状の掃き出し坂部を備えている。すなわち、掃き出し坂部は、外壁部と比して、非常に緩やかな傾斜面状や湾曲面状をなすように構成されている。そして、この掃き出し坂部は、掃き出し口においてヘアキャッチャーの外へと通じるように構成されている。従って、指や清掃用の用具などにより、底壁部に捕集された異物を、掃き出し坂部に沿って掃き出し口側へと移動させることで、掃き出し口からヘアキャッチャーの外へと異物を掃き出し、異物を除去することができる。そのため、異物の除去にあたって、外壁部を越えるようにして異物を持ち上げる必要はなく、優れた清掃性を実現することができる。
【００１０】
尚、仮に外壁部を設けないこととすれば、結果的に、上記同様の作用効果を得ることができるが、この場合には、捕集された異物が容易に流れ出てしまうことになる。これに対し、上記手段１によれば、外壁部や掃き出し坂部によって、ヘアキャッチャーに捕集された異物が容易に流れ出てしまうことを防止できる。従って、異物の捕集というヘアキャッチャーの機能を効果的に発揮させることができる。
【００１１】
さらに、上記手段１によれば、掃き出し坂部の存在によって、底壁部における掃き出し口とは反対側の部位に異物が集中的に溜まることになる。そのため、異物の除去をより容易に行うことができ、清掃性をより向上させることができる。また、底壁部における掃き出し口とは反対側の部位に異物が集中的に溜まることで、底壁部の広範囲で異物による孔部の閉塞が生じるといった事態を効果的に抑制することができ、ひいては排水性能の過度の低下を長期間に亘ってより確実に防止することができる。
【００１２】
また、上記手段１によれば、掃き出し坂部が存在する特徴的な形状であることから、使用者に対し、直感的にヘアキャッチャーの清掃方法を把握させることができる。これにより、ユーザビリティの向上を図ることができる。
【００１３】
尚、清掃性の向上という面では、掃き出し坂部をより緩やかに変位する形状とすることが好ましい。従って、清掃性の向上をより確実に図るべく、掃き出し坂部における変位の起点（掃き出し口とは反対側に位置する端縁）を、平面視したときに、ヘアキャッチャーの中心と掃き出し口との中心部分よりも前記ヘアキャッチャーの中心側に設けたり、ヘアキャッチャーの中心とほぼ重なる位置に設けたりすることで、掃き出し坂部が緩やかに変位するように構成してもよい。
【００１４】
また、掃き出し坂部における掃き出し口に対応する部位に、若干の突起（低い堰部）を設けることで、排水などによって、掃き出し口からの異物の流出が容易に生じないように構成してもよい。
【００１５】
手段２．前記底壁部は、前記掃き出し坂部における前記掃き出し口とは反対側の端縁に連続するとともに、ほぼ水平方向に広がり、前記ヘアキャッチャーの最底部を構成する水平底部を備えることを特徴とする手段１に記載のヘアキャッチャー。
【００１６】
尚、「ほぼ水平方向」とあるのは、厳密な水平方向のみならず、水平に対し若干だけ傾斜した方向も含むという趣旨である。
【００１７】
掃き出し坂部を設けるにあたっては、底壁部の全域を掃き出し坂部とすることが考えられる。しかしながら、この場合において、掃き出し坂部がある程度の勾配を有するように構成すると、ヘアキャッチャーの高さが比較的大きなものとなり、設置スペースを確保することが難しくなってしまうおそれがある。一方、掃き出し坂部を極めて緩やかに傾斜する形状とすれば、ヘアキャッチャーの高さを抑えることができるが、この場合には、掃き出し口から異物が流出しやすくなってしまったり、異物の捕集容量が小さくなってしまったりするおそれがある。
【００１８】
この点、上記手段２によれば、底壁部は、掃き出し坂部に連続するとともに、ほぼ水平方向に広がり、かつ、ヘアキャッチャーの最底部を構成する水平底部を備えている。従って、掃き出し坂部にある程度の勾配を持たせつつ、ヘアキャッチャーの高さを抑えることができる。その結果、掃き出し口からの異物の流出防止や異物の捕集容量の増大化を図りつつ、ヘアキャッチャーの設置スペースを容易に確保することができる。
【００１９】
手段３．前記掃き出し口の幅が、前記底壁部における最も幅の広い部位の幅の１／３以上とされていることを特徴とする手段１又は２に記載のヘアキャッチャー。
【００２０】
上記手段３によれば、掃き出し口の幅が底壁部における最大幅の１／３以上とされている。すなわち、掃き出し口が十分に広いものとされている。従って、掃き出し口からヘアキャッチャーの外に対する異物の掃き出しを極めて容易に行うことができ、清掃性を一層向上させることができる。
【００２１】
手段４．前記底壁部は、前記掃き出し坂部の傾斜方向に沿って連続して延びるとともに、上方に向けて突出した形状をなす連続突部を有することを特徴とする手段１乃至３のいずれかに記載のヘアキャッチャー。
【００２２】
上記手段４によれば、底壁部（例えば、掃き出し坂部や水平底部）には、上方に向けて突出し、掃き出し坂部の傾斜方向に沿って連続して延びる連続突部が設けられている。すなわち、底壁部には、異物を除去する際における異物の掃き出し口側への移動方向（異物の掃き出し方向）とほぼ同じ方向に沿って延びる連続突部が形成されている。従って、異物（例えば毛髪など）を連続突部に乗せて、底壁部から浮かせた状態で、掃き出し口側へと移動させることができる。さらに、連続突部により異物が底壁部から浮くことで、異物をふるい落として除去することが容易に可能となる。これらの結果、異物の除去を一層容易に行うことができ、より良好な清掃性を実現することができる。
【００２３】
尚、連続突部は、１つであってもよいし、複数であってもよい。
【００２４】
手段５．前記底壁部における前記孔部を形成する部位のうち、平面視したときに前記掃き出し坂部の傾斜方向と交差する方向に延びる部位の少なくとも一部には、前記掃き出し口側に向けて徐々に上がり、前記底壁部の上面に連続する傾斜面状又は湾曲面状の抵抗軽減部が設けられていることを特徴とする手段１乃至４のいずれかに記載のヘアキャッチャー。
【００２５】
底壁部における孔部を形成する部位のうち、平面視したときに掃き出し坂部の傾斜方向と交差する方向に延びる部位は、掃き出し坂部に沿って異物を移動させる際に、異物の引っ掛かりを生じさせ、異物の移動を妨げてしまうおそれがある。
【００２６】
この点、上記手段５によれば、上記のような異物の移動を妨げ得る部位には、掃き出し口側に向けて徐々に上がり、底壁部の上面に連続する傾斜面状又は湾曲面状の抵抗軽減部が設けられている。従って、掃き出し坂部に沿って異物を移動させる際における異物の移動阻害を極力抑制することができる。その結果、異物の除去を一段と容易に行うことができ、清掃性の更なる向上を図ることができる。
【００２７】
手段６．前記掃き出し口とは反対側に位置する外縁部分に、つまみ持つための持ち手部を備えることを特徴とする手段１乃至５のいずれかに記載のヘアキャッチャー。
【００２８】
上記手段６によれば、持ち手部は掃き出し口とは反対側に設けられているため、異物を除去する際にヘアキャッチャーに加わる力をより確実に受けることができる。その結果、異物の除去を行う際に、ヘアキャッチャーをより確実に保持することができ、清掃性をさらに高めることができる。
【００２９】
手段７．所定の栓蓋を支持するための上下動可能な支持軸が挿通される被挿通部を有し、
前記被挿通部は、平面視したときに前記ヘアキャッチャーの中心から外れた前記掃き出し口側に設けられるとともに、前記掃き出し口側に位置する前記ヘアキャッチャーの外縁に開口する形状をなすことを特徴とする手段１乃至６のいずれかに記載のヘアキャッチャー。
【００３０】
被挿通部がヘアキャッチャーの外縁に開口していなかったり、開口していても、掃き出し口とは異なる側のヘアキャッチャーの外縁に開口していたりする場合には、掃き出し坂部に沿って異物を移動させる際に、掃き出し坂部における被挿通部を形成する部位に対し異物が引っ掛かりやすくなってしまうおそれがある。
【００３１】
この点、上記手段７によれば、被挿通部は、掃き出し口側に位置するヘアキャッチャーの外縁に開口している。そのため、掃き出し坂部における被挿通部を形成する部位に対し、異物を引っ掛かりにくくすることができる。これにより、異物をより一層容易に除去することができる。
【００３２】
さらに、上記手段７によれば、被挿通部がヘアキャッチャーの外縁に開口しているため、支持軸の軸方向と交差する方向にヘアキャッチャーを移動させることにより、被挿通部から支持軸を抜いて、ヘアキャッチャーを取外すことができる。これにより、ヘアキャッチャーを単独で清掃することが容易に可能となり、清掃性の更なる向上を図ることができる。また、被挿通部がヘアキャッチャーの外縁に開口しているため、底壁部における被挿通部を形成する部位の清掃を容易に行うことができる。
【００３３】
加えて、被挿通部は、ヘアキャッチャーの中心から外れた掃き出し口側に設けられているため、ヘアキャッチャーをさほど移動させることなく、ヘアキャッチャーを取外すことができる。これにより、使用者にとっての利便性を高めることができ、良好な使い勝手を実現することができる。
【００３４】
併せて、被挿通部に支持軸が挿通されている状態（つまり使用時）においては、支持軸によって掃き出し口からの異物の流出が阻害されることとなる。これにより、異物をより一層確実に捕集することができる。
【図面の簡単な説明】
【００３５】
【図１】流路構成部における排水の流路を閉状態としたときの排水栓装置の断面図である。
【図２】流路構成部における排水の流路を開状態としたときの排水栓装置の断面図である。
【図３】ヘアキャッチャーの斜視図である。
【図４】ヘアキャッチャーの平面図である。
【図５】別の実施形態において、連続突部を設けたヘアキャッチャーの平面図である。
【発明を実施するための形態】
【００３６】
以下に、一実施形態について図面を参照しつつ説明する。図１に示すように、排水栓装置１は、槽体としての洗面ボール１００に取付けられており、排水口部材２と、排水管３と、栓蓋側駆動部４と、栓蓋ユニット５と、ヘアキャッチャー６とを備えている。
【００３７】
尚、洗面ボール１００は、その底面を構成する底面部１０１を備えており、当該底面部１０１には、下方に向けて垂下する垂下部１０２と、当該垂下部１０２の下部から内向きに突出する張出部１０３とが設けられている。垂下部１０２は、上側に向けて徐々に内径が増大する筒状をなしている。また、張出部１０３の内側に、排水口１０４が形成されている。さらに、底面部１０１の外周には、図示しない周壁部が立設されており、当該周壁部には、水の溢れ出しを防止するための図示しないオーバーフロー口が貫通形成されている。
【００３８】
排水口部材２は、円筒状に形成されており、自身の中心軸と前記排水口１０４の中心軸とがほぼ一致するように排水口１０４に挿設されている。排水口部材２は、その上端部において径方向外側に突出形成された鍔部２１と、当該鍔部２１よりも下方側の外周に形成された雄ねじ部２２とを備えている。
【００３９】
排水管３は、鉛直方向に沿って延びる円筒状の本体管３１と、当該本体管３１から枝分かれした状態で延びる、それぞれ円筒状の取付管３２及び接続管３３とを備えている。
【００４０】
本体管３１は、その一端部（上端部）内周に前記雄ねじ部２２を螺合可能な雌ねじ部３１Ａを備えている。そして、鍔部２１を前記張出部１０３上に配置した状態で、雄ねじ部２２を雌ねじ部３１Ａに螺合し、鍔部２１及び排水管３の上端面により張出部１０３を挟み込むことで、排水口部材２及び排水管３が接続されるとともに、両者が洗面ボール１００に取付けられた状態となっている。
【００４１】
また、本実施形態において、排水管３の上端面と洗面ボール１００との間には、弾性変形可能な材料により形成された環状のシール部材８が介在されている。このシール部材８によって、排水管３と洗面ボール１００との間からの漏水防止が図られている。
【００４２】
尚、本実施形態では、直列的に配置された垂下部１０２、排水口部材２及び排水管３（本体管３１）によって、洗面ボール１００から流れる排水の流路を内部に有する筒状の流路構成部７が構成されている。本実施形態では、流路構成部７の内面のうち傾斜状をなす垂下部１０２の内面によって、ヘアキャッチャー６の載置される部位である被載置部７Ａが構成されている。
【００４３】
取付管３２は、栓蓋側駆動部４の収容部である。取付管３２は、本体管３１の外周から水平方向に突出形成され、自身の内部空間が本体管３１の内部空間に連通している。
【００４４】
接続管３３は、前記オーバーフロー口に流入した排水を流すための図示しない連結管が接続される部位である。接続管３３は、本体管３１の外周から斜め上向きに向けて突出形成され、自身の内部空間が本体管３１の内部空間に連通している。そして、前記オーバーフロー口に流入した排水は、前記連結管及び接続管３３を通って、本体管３１内へと案内されるようになっている。
【００４５】
栓蓋側駆動部４は、栓蓋ユニット５を上下動させるための機構である。栓蓋側駆動部４は、回動部４１及び支持部４２を備えている。
【００４６】
回動部４１は、取付管３２に挿設されており、自身の中心軸を回動軸として回動可能とされている。回動部４１は、図示しない伝達部材（例えば、ワイヤーなど）から加えられた駆動力により回動する。尚、前記伝達部材は、図示しない所定の操作部材（例えば、操作ボタン）の変位に伴い往復動作する。回動部４１の一端部には円板状部位が設けられており、当該円板状部位の端面は、排水管３（本体管３１）の内部空間側を向いているが、当該内部空間に配置されないように構成されている。
【００４７】
支持部４２は、円柱状をなし、排水管３（本体管３１）の内部空間に配置されている。但し、支持部４２は、比較的短いものとされており、その先端が排水管３（本体管３１）の中心軸に到達しないように構成されている。支持部４２は、回動部４１の一端面（前記円板状部位の端面）における外周寄りの部分から突出しており、回動部４１の回動に伴い上下動する。
【００４８】
栓蓋ユニット５は、流路構成部７における排水の流路の開閉を行うための部材である。栓蓋ユニット５は、通水部材５１、支持軸５２及び栓蓋５３を有している。
【００４９】
通水部材５１は、全体として円筒状をなしており、本体管３１の内周面に沿って上下動可能な状態で配置されている。通水部材５１は、下側輪状部５１Ａ、上側リング部５１Ｂ及び棒状連結部５１Ｃを備えている。
【００５０】
下側輪状部５１Ａは、外周面が排水管３（本体管３１）の内周面に沿って配置される環状部位と、当該環状部位の内周面に対し４つの端部が連結された状態の平面視十字状の部位とを備えた形状となっている。また、下側輪状部５１Ａは、前記環状部位の下面が支持部４２に載置されることで、支持部４２によって支持されている。支持部４２の上下動に伴い、下側輪状部５１Ａひいては通水部材５１が上下動する。
【００５１】
上側リング部５１Ｂは、環状をなしており、外周面が排水管３（本体管３１）の内周面に沿って配置されている。上側リング部５１Ｂは、下側輪状部５１Ａよりも上方においてこれと間隔をあけた状態で設けられている。このように下側輪状部５１Ａ及び上側リング部５１Ｂが間隔をあけた状態で設けられることにより、流路構成部７（本体管３１）に対する通水部材５１の傾き抑制が図られている。
【００５２】
棒状連結部５１Ｃは、下側輪状部５１Ａと上側リング部５１Ｂとを連結する部位であり、上側リング部５１Ｂ等の周方向に沿って等間隔に複数（本実施形態では、４本）設けられている。間隔をあけた複数の棒状連結部５１Ｃにより下側輪状部５１Ａ及び上側リング部５１Ｂを連結した構成とすることで、棒状連結部５１Ｃ間の隙間から、接続管３３へと案内された排水が本体管３１内へとスムーズに流入可能となり、また、通水部材５１の外周面と流路構成部７との接触面積が小さくなり、通水部材５１が円滑に上下動可能となっている。
【００５３】
支持軸５２は、上側リング部５１Ｂから上方に延びる棒状をなしており、流路構成部７内において流路構成部７の内面に沿った位置に配置されている。支持軸５２は、その上端部が栓蓋５３の背面外周側に取付けられることで、栓蓋５３を支持している。
【００５４】
栓蓋５３は、樹脂等からなる円板状の栓蓋本体部５３Ａと、当該栓蓋本体部５３Ａに取付けられたパッキン部５３Ｂとを備えている。パッキン部５３Ｂは、弾性変形可能な材料（例えば、ゴムや樹脂等）によって環状に形成されており、栓蓋本体部５３Ａの背面の外周側に設けられた、外側に開口する凹部に対し嵌め込まれた状態とされている。
【００５５】
本実施形態では、支持部４２の上動に伴い、栓蓋ユニット５が上動し、パッキン部５３Ｂが底面部１０１（垂下部１０２）から離間することで、流路構成部７における排水の流路が開状態とされる（図２参照）。一方、支持部４２の下動に伴い、栓蓋ユニット５が下動し、パッキン部５３Ｂの外周部分全域が底面部１０１における所定の被シール部位に接触することで、流路構成部７における排水の流路が閉状態とされる。
【００５６】
尚、排水の流路が閉状態とされ、支持部４２が最も下方に配置された状態では、支持部４２から通水部材５１（下側輪状部５１Ａ）が浮いた状態となるように構成してもよい。この場合には、排水の流路を閉状態としたときにおいて、パッキン部５３Ｂをより確実に底面部１０１へと接触させることができ、良好な水密性を得ることが可能となる。
【００５７】
また、本実施形態において、栓蓋ユニット５は、洗面ボール１００の表側から上方に向けて引上げられることで、流路構成部７内にて上方へと移動可能となっている。そして、流路構成部７から栓蓋ユニット５を引抜くことで、流路構成部７から栓蓋ユニット５を取外すことができるようになっている。尚、栓蓋ユニット５やヘアキャッチャー６を流路構成部７から取外した状態では、流路構成部７内は、支持部４２のみが僅かに突出した状態となる。そのため、メンテナンス性や清掃性の向上を図ることが可能となっている。
【００５８】
ヘアキャッチャー６は、流路構成部７の内部に配置されており、排水に含まれるごみや毛髪等の異物を捕集するためのものである。ヘアキャッチャー６は、自身の外縁部分のほぼ全周が流路構成部７に設けられた前記被載置部７Ａへと載置されることで、流路構成部７内に配置されている。ヘアキャッチャー６の外縁部分のほぼ全周が被載置部７Ａに載置されることで、ヘアキャッチャー６の外縁部分と流路構成部７との間を通って、ヘアキャッチャー６よりも下流へと異物が流れてしまうことをより確実に防止可能となっている。
【００５９】
ヘアキャッチャー６は、図３及び図４に示すように、底壁部６１、外壁部６２、掃き出し口６３及び持ち手部６４を備えている。底壁部６１及び持ち手部６４の説明に先立って、まず、外壁部６２及び掃き出し口６３について説明する。
【００６０】
外壁部６２は、底壁部６１の外縁部分に立設されており、排水によって、底壁部６１に捕集された異物が流出することを防止するために設けられている。異物の流出防止をより確実に図るべく、外壁部６２の内周面は、底壁部６１側から上側に向けて、非常に急激な上方への遷移態様で変位する形状をなしている。
【００６１】
掃き出し口６３は、ヘアキャッチャー６の外縁に設けられ、外壁部６２の上縁部とほぼ同じ高さを有している。掃き出し口６３は、捕集された異物を除去する際に、ヘアキャッチャー６の外へと異物を掃き出すために用いられる部位である。掃き出し口６３の幅Ｗ１は、底壁部６１における最も幅の広い部位の幅Ｗ２の１／３以上とされており、本実施形態では、１／２以上とされている。
【００６２】
次いで、底壁部６１及び持ち手部６４について説明する。底壁部６１は、異物の捕集を主として行う部位であり、通水用の孔部６１Ａが多数貫通形成されている。底壁部６１は、掃き出し坂部６５及び水平底部６６を備えている。
【００６３】
掃き出し坂部６５は、異物を掃き出し口６３側へと移動させる際に、異物の移動路として機能する部位である。掃き出し坂部６５は、掃き出し口６３に向けて外壁部６２の内周面よりも緩やかな上方への遷移態様で、外壁部６２のうち掃き出し口６３と隣接する部位とほぼ同じ高さまで徐々に上がる傾斜面状をなしている。また、掃き出し坂部６５は、掃き出し口６３においてヘアキャッチャー６の外へと通じるように構成されている。
【００６４】
尚、掃き出し坂部６５における掃き出し口６３に対応する部位に、若干の突起（低い堰部）を設けてもよい。この場合には、排水などによって、掃き出し口６３からの異物の流出が容易に生じないようにすることができる。
【００６５】
また、清掃性の向上（異物の掃き出し易さ）という面では、掃き出し坂部６５をより緩やかに変位する形状とすることが好ましい。そこで、本実施形態では、清掃性の向上をより確実に図るべく、掃き出し坂部６５における変位の起点（傾斜の開始点であり、本実施形態では、掃き出し口６３とは反対側に位置する端縁）は、平面視したときに、ヘアキャッチャー６の中心とほぼ重なる位置に設けられている。尚、前記変位の起点は、適宜位置変更可能であり、例えば、前記変位の起点を、ヘアキャッチャー６の中心と掃き出し口６３との中心部分よりもヘアキャッチャー６の中心側に設けてもよいし、掃き出し口６３とは反対側におけるヘアキャッチャー６の中心を超える位置に設けてもよい。
【００６６】
さらに、掃き出し坂部６５のうち、平面視したときにヘアキャッチャー６の中心から外れた掃き出し口６３側の所定位置には、被挿通部６７が貫通形成されている。被挿通部６７は、支持軸５２が挿通される部位であり、掃き出し口６３側に位置するヘアキャッチャー６の外縁に開口する形状をなしている。また、被挿通部６７は、ヘアキャッチャー６の外縁側に位置する自身の開口に向けて徐々に幅が広くなる形状とされている。
【００６７】
水平底部６６は、掃き出し坂部６５における掃き出し口６３とは反対側の端縁に連続し、ほぼ水平方向に広がる部位である。本実施形態において、底壁部６１における掃き出し坂部６５以外の部位は水平底部６６となっており、水平底部６６によって底壁部６１の最底部が構成されている。尚、「ほぼ水平方向」とあるのは、厳密な水平方向のみならず、水平に対し若干だけ傾斜した方向も含むという趣旨である。また、底壁部６１のうち、水平底部６６を挟んで掃き出し坂部６５とは反対側の部位に、掃き出し坂部６５と逆向きに傾斜する傾斜部などを設けてもよい。
【００６８】
持ち手部６４は、使用者がつまみ持つことを想定して設けられた部位である。持ち手部６４は、ヘアキャッチャー６における掃き出し口６３とは反対側に位置する外縁部分に設けられており、上方及び外側に向けて突出する形状をなしている。
【００６９】
加えて、底壁部６１における孔部６１Ａを形成する部位のうち、平面視したときに掃き出し坂部６５の傾斜方向と交差する方向に延びる部位であって、掃き出し坂部６５に沿った掃き出し口６３側への異物の移動方向とは逆方向を向く部位（「移動阻害部」と称す）には、抵抗軽減部６８が設けられている。すなわち、底壁部６１における孔部６１Ａを形成する部位のうち、掃き出し坂部６５に沿って掃き出し口６３側へと異物を移動させる際に異物と特に接触しやすい部位には、抵抗軽減部６８が設けられている。抵抗軽減部６８は、掃き出し口６３側に向けて徐々に上がり、底壁部６１の上面に連続する傾斜面状又は湾曲面状（本実施形態では、傾斜面状）をなす部位である。尚、本実施形態では、前記移動阻害部が複数存在し、各移動阻害部のそれぞれに対し抵抗軽減部６８が設けられているが、複数の移動阻害部の少なくとも一部に対し、抵抗軽減部６８を設けてもよい。
【００７０】
以上詳述したように、本実施形態によれば、ヘアキャッチャー６には掃き出し坂部６５が設けられている。そのため、指や清掃用の用具などにより、底壁部６１に捕集された異物を、掃き出し坂部６５に沿って掃き出し口６３側へと移動させることで、掃き出し口６３からヘアキャッチャー６の外へと異物を掃き出し、異物を除去することができる。そのため、異物の除去にあたって、外壁部６２を越えるようにして異物を持ち上げる必要はなく、優れた清掃性を実現することができる。
【００７１】
また、外壁部６２や掃き出し坂部６５によって、捕集された異物が容易に流れ出てしまうことを防止できる。従って、異物の捕集というヘアキャッチャー６の機能を効果的に発揮させることができる。
【００７２】
加えて、掃き出し坂部６５の存在によって、底壁部６１における掃き出し口とは反対側の部位（本実施形態では、水平底部６６）に異物が集中的に溜まることになる。そのため、異物の除去をより容易に行うことができ、清掃性をより向上させることができる。また、底壁部６１における掃き出し口６３とは反対側の部位に異物が集中的に溜まることで、底壁部６１の広範囲で異物による孔部６１Ａの閉塞が生じるといった事態を効果的に抑制することができ、ひいては排水性能の過度の低下を長期間に亘ってより確実に防止できる。
【００７３】
さらに、ヘアキャッチャー６は、掃き出し坂部６５が存在する特徴的な形状であることから、使用者に対し、直感的にヘアキャッチャー６の清掃方法を把握させることができる。これにより、ユーザビリティの向上を図ることができる。
【００７４】
加えて、底壁部６１に水平底部６６を設けることで、掃き出し坂部６５にある程度の勾配を持たせつつ、ヘアキャッチャー６の高さを抑えることができる。その結果、掃き出し口６３からの異物の流出防止や異物の捕集容量の増大化を図りつつ、ヘアキャッチャー６の設置スペースを容易に確保することができる。
【００７５】
また、掃き出し口６３の幅Ｗ１が底壁部６１における最大幅Ｗ２の１／３以上とされており、掃き出し口６３が十分に広いものとされている。従って、掃き出し口６３からヘアキャッチャー６の外に対する異物の掃き出しを極めて容易に行うことができ、清掃性を一層向上させることができる。
【００７６】
さらに、底壁部６１における異物の移動を阻害し得る部位（移動阻害部）に対応して、抵抗軽減部６８が設けられている。これにより、異物の除去を一段と容易に行うことができ、清掃性の更なる向上を図ることができる。
【００７７】
また、持ち手部６４が掃き出し口６３とは反対側に設けられているため、異物を除去する際に持ち手部６４を持った場合には、異物を除去する際にヘアキャッチャー６に加わる力をより確実に受けることができる。その結果、異物の除去を行う際に、ヘアキャッチャー６をより確実に保持することができ、清掃性をさらに高めることができる。
【００７８】
加えて、被挿通部６７は、掃き出し口６３側に位置するヘアキャッチャー６の外縁に開口している。そのため、掃き出し坂部６５における被挿通部６７を形成する部位に対し、異物を引っ掛かりにくくすることができる。これにより、異物をより一層容易に除去することができる。特に本実施形態において、被挿通部６７は、自身の開口側に向けて徐々に幅が広くなる形状とされているため、異物の引っ掛かりを極めて効果的に抑制することができる。また、被挿通部６７がヘアキャッチャー６の外縁に開口しているため、底壁部６１における被挿通部６７を形成する部位の清掃を容易に行うことができる。
【００７９】
さらに、支持軸５２の軸方向と交差する方向にヘアキャッチャー６を移動させることにより、被挿通部６７から支持軸５２を抜いて、ヘアキャッチャー６を取外すことができる。これにより、ヘアキャッチャー６を単独で清掃することが容易に可能となり、清掃性の更なる向上を図ることができる。
【００８０】
加えて、被挿通部６７は、ヘアキャッチャー６の中心から外れた掃き出し口６３側に設けられているため、ヘアキャッチャー６をさほど移動させることなく、ヘアキャッチャー６を取外すことができる。これにより、使用者にとっての利便性を高めることができ、良好な使い勝手を実現することができる。
【００８１】
併せて、被挿通部６７に支持軸５２が挿通されている状態（つまり使用時）においては、支持軸５２によって掃き出し口６３からの異物の流出が阻害されることとなる。これにより、異物をより一層確実に捕集することができる。
【００８２】
尚、上記実施形態の記載内容に限定されず、例えば次のように実施してもよい。勿論、以下において例示しない他の応用例、変更例も当然可能である。
【００８３】
（ａ）上記実施形態において、底壁部６１は、その上面に特段の凹凸などを有しないものとされているが、図５に示すように、底壁部６１が、掃き出し坂部６５の傾斜方向に沿って連続して延びるとともに、上方に向けて突出した形状をなす連続突部６９を有するものとしてもよい。すなわち、底壁部６１に、異物を除去する際における異物の掃き出し口６３側への移動方向（異物の掃き出し方向）とほぼ同じ方向に沿って延びる連続突部６９を設けてもよい。この場合には、異物（例えば毛髪など）を連続突部６９に乗せて、底壁部６１から浮かせた状態で、掃き出し口６３側へと移動させることができる。さらに、連続突部６９により異物が底壁部６１から浮くことで、異物をふるい落として除去することが容易に可能となる。これらの結果、異物の除去を一層容易に行うことができ、より良好な清掃性を実現することができる。
【００８４】
尚、連続突部６９の数は特に限定されるものではなく、１本であってもよいし、複数本であってもよい。
【００８５】
（ｂ）上記実施形態では、垂下部１０２の内面に設けられた被載置部７Ａに対しヘアキャッチャー６が載置されることで、ヘアキャッチャー６が支持されるように構成されているが、ヘアキャッチャー６をその他の手法により支持することとしてもよい。例えば、ヘアキャッチャー６を、排水口部材２の鍔部２１や排水口部材２の内面に設けられた上側に向けて徐々に内径が増大する傾斜状部分に載置することで、支持してもよい。勿論、垂下部１０２や排水口部材２に対し段差状部位を形成し、当該段差状部位にヘアキャッチャー６を載置することで支持してもよい。
【００８６】
さらに、ヘアキャッチャー６が流路構成部７以外の部位によって支持されるように構成してもよい。例えば、支持軸５２に対し、ヘアキャッチャー６の中心背面側に向けて突出する突起部を設け、当該突起部にヘアキャッチャー６が載置されることで支持されるように構成してもよい。
【００８７】
（ｃ）上記実施形態において、流路構成部７は、垂下部１０２、排水口部材２及び排水管３（本体管３１）によって構成されているが、流路構成部は、洗面ボール１００から流れる排水の流路を内部に有する筒状部であればよく、その構成部品は特に限定されるものではない。従って、例えば、垂下部１０２が比較的短かったり、又は、垂下部１０２が存在しなかったりする場合において、底面部１０１の表面に鍔部２１が表れるような構成では、流路構成部は、排水の流入口を構成する排水口部材２と、これに接続された排水管３とによって構成されることがある。また、排水口部材２を設けることなく、例えばねじ止めなどによって底面部１０１に対し排水管３が直接的に固定される場合、流路構成部は、排水管３と、底面部１０１のうち、自身の内部空間が排水管３の内部空間と連通する部位（例えば、垂下部１０２や排水口１０４を形成する部位など）とによって構成されることがある。勿論、漏水防止のためのシール部材などが、流路構成部の構成部となることもある。
【００８８】
（ｄ）上記実施形態において、栓蓋側駆動部４は、回動部４１の回動に伴い上下動する支持部４２によって栓蓋５３を上下動させるように構成されているが、栓蓋側駆動部は、栓蓋５３を上下動させる機能を有するものである限り、その構成は特に限定されるものではない。従って、栓蓋側駆動部を、回動部の外周から突出して、流路構成部７内に配置される棒状の支持部を有し、前記回動部の回動に伴い前記支持部が上下動することで、栓蓋５３を上下動させるものであってもよい。
【００８９】
また、栓蓋側駆動部を、流路構成部７内に配置された上下動可能な棒状の支持軸を有し、当該支持軸の上下動に伴い栓蓋５３を上下動させるものとしてもよい。
【００９０】
（ｅ）上記実施形態において、ヘアキャッチャー６は平面視円形状をなしているが、ヘアキャッチャーの形状はこれに限定されるものではない。従って、平面視矩形状や平面視多角形（例えば、六角形）状のヘアキャッチャーを用いてもよい。また、孔部や持ち手部の形状、孔部の数などに関しても適宜変更可能である。
【００９１】
（ｆ）上記実施形態において、支持軸５２は、流路構成部７の内面寄りに設けられているが、支持軸を流路構成部７の中心に設けることとしてもよい。また、支持軸の位置に応じて、ヘアキャッチャーにおける被挿通部の形成位置を適宜変更してもよい。支持軸を流路構成部７の中心に設ける場合には、被挿通部をヘアキャッチャーの中心に設けてもよい。
【００９２】
（ｇ）上記実施形態において、ヘアキャッチャー６は、支持軸５２が挿通される被挿通部６７を有しているが、例えば支持軸が存在しない場合などでは、ヘアキャッチャーが被挿通部を備えないものであってもよい。
【００９３】
（ｈ）上記実施形態では、栓蓋５３（パッキン部５３Ｂ）が底面部１０１に接触することで、流路構成部７における排水の流路が閉鎖されるように構成されているが、栓蓋５３（パッキン部５３Ｂ）が排水口部材２に接触することで、排水の流路が閉鎖されるように構成してもよい。
【００９４】
（ｉ）上記実施形態では、槽体として洗面ボール１００を例示しているが、本発明の技術思想を適用可能な槽体は洗面ボールに限定されるものではない。従って、例えば、浴槽やキッチンの流し台などに対し本発明の技術思想を適用することとしてもよい。
【符号の説明】
【００９５】
６…ヘアキャッチャー、５２…支持軸、５３…栓蓋、６１…底壁部、６１Ａ…孔部、６２…外壁部、６３…掃き出し口、６４…持ち手部、６５…掃き出し坂部、６６…水平底部、６７…被挿通部、６８…抵抗軽減部、６９…連続突部、１００…洗面ボール（槽体）。
【図１】
2018168650.tif 000003
【図２】
2018168650.tif 000004
【図３】
2018168650.tif 000005
【図４】
2018168650.tif 000006
【図５】
2018168650.tif 000007